(57)【特許請求の範囲】
【請求項１】
信号光をラマン増幅するための励起光の中心波長を固定する波長固定部に設置され、前記励起光の中心波長を変動させる該波長固定部の温度を調整する温度調整部と、
前記波長固定部の温度と、前記励起光を利用してラマン増幅された前記信号光の利得を所定の波長帯域を対象として等化する利得等化部の温度とを測定する温度測定部と、
前記温度測定部によって測定された前記波長固定部の温度に対応する前記励起光の中心波長の変動量を、前記波長固定部の温度と該温度に対する前記励起光の中心波長の変動量とを対応付けた第一の記憶部から取得し、測定された前記利得等化部の温度に対応する前記波長帯域の中心波長の変動量を、前記利得等化部の温度と該温度に対する前記波長帯域の中心波長の変動量とを対応付けた第二の記憶部から取得する変動量取得部と、
前記変動量取得部によって取得された二つの変動量の差分に対応する前記波長固定部の温度を前記第一の記憶部から取得し、取得した温度に基づいて、前記温度調整部によって調整される前記波長固定部の温度を制御する制御部と
を備えたことを特徴とする光増幅器。
【請求項２】
前記波長固定部は、前記励起光を発する光源ごとに複数配置されるとともに、前記温度調整部は、各前記波長固定部に設置されて各前記波長固定部の温度をそれぞれ調整し、
前記温度測定部は、各前記波長固定部の温度と、前記利得等化部の温度とを測定し、
前記変動量取得部は、前記温度測定部によって測定された各前記波長固定部の温度に対応する前記励起光の中心波長の変動量を、各前記波長固定部の温度と該温度に対する前記励起光の中心波長の変動量とを対応付けた前記第一の記憶部から取得し、測定された前記利得等化部の温度に対応する前記波長帯域の中心波長の変動量を、前記第二の記憶部から取得し、
前記制御部は、前記変動量取得部によって取得された二つの変動量の差分に対応する各前記波長固定部の温度を前記第一の記憶部から取得し、取得した温度に基づいて、前記温度調整部によって調整される各前記波長固定部の温度をそれぞれ制御することを特徴とする請求項１に記載の光増幅器。
【請求項３】
前記励起光を発する光源を駆動させるための駆動電流の電流値を検出する電流値検出部をさらに備え、
前記変動量取得部は、前記電流値検出部によって検出された前記駆動電流の電流値に対応する前記励起光の中心波長の変動量を、前記駆動電流の電流値と該電流値に対する前記励起光の中心波長の変動量とを対応付けた第三の記憶部から取得し、
前記制御部は、前記変動量取得部によって取得された変動量に対応する前記波長固定部の温度を前記第一の記憶部から取得し、取得した温度に基づいて、前記温度調整部によって調整される前記波長固定部の温度を制御することを特徴とする請求項１又は２に記載の光増幅器。
【請求項４】
前記波長固定部は、前記励起光を発する光源ごとに複数配置されるとともに、前記温度調整部は、各前記波長固定部に設置されて各前記波長固定部の温度をそれぞれ調整し、
前記電流値検出部は、前記光源ごとに前記駆動電流の電流値を検出し、
前記変動量取得部は、前記電流値検出部によって検出された前記光源ごとの前記駆動電流の電流値に対応する前記励起光の中心波長の変動量を、前記光源ごとの前記駆動電流の電流値と該電流値に対する前記励起光の中心波長の変動量とを対応付けた第三の記憶部から取得し、
前記制御部は、前記変動量取得部によって取得された変動量に対応する各前記波長固定部の温度を前記第三の記憶部から取得し、取得した温度に基づいて、前記温度調整部によって調整される各前記波長固定部の温度を制御することを特徴とする請求項３に記載の光増幅器。
【請求項５】
信号光をラマン増幅するための励起光の中心波長を固定する波長固定部に設置され、前記励起光の中心波長を変動させる該波長固定部の温度を調整する温度調整部を備えた光増幅器により実行される光増幅器制御方法であって、
前記波長固定部の温度と、前記励起光を利用してラマン増幅された前記信号光の利得を所定の波長帯域を対象として等化する利得等化部の温度とを測定し、
測定された前記波長固定部の温度に対応する前記励起光の中心波長の変動量を、前記波長固定部の温度と該温度に対する前記励起光の中心波長の変動量とを対応付けた第一の記憶部から取得し、測定された前記利得等化部の温度に対応する前記波長帯域の中心波長の変動量を、前記利得等化部の温度と該温度に対する前記波長帯域の中心波長の変動量とを対応付けた第二の記憶部から取得し、
取得された二つの変動量の差分に対応する前記波長固定部の温度を前記第一の記憶部から取得し、取得した温度に基づいて、前記温度調整部によって調整される前記波長固定部の温度を制御する
ことを特徴とする光増幅器制御方法。
【発明の詳細な説明】
【技術分野】
【０００１】
本発明は、光増幅器及び光増幅器制御方法に関する。
【背景技術】
【０００２】
従来、励起光を利用して信号光を増幅するラマン増幅器と呼ばれる光増幅器が知られている。ラマン増幅器では、励起光の中心波長から約１００ｎｍ長波長側に離れた波長に対して利得が発生する誘導ラマン散乱という現象を発現させて、励起光の中心波長から約１００ｎｍ長波長側に離れた波長を含む波長帯域の信号光を増幅する。このような誘導ラマン散乱による信号光の増幅は「ラマン増幅」と呼ばれる。
【０００３】
図１８は、ラマン増幅について説明するための図である。図１８において、横軸は波長であり、縦軸はパワーである。図１８に示すように、ラマン増幅では、励起光の中心波長から約１００ｎｍ長波長側に離れた波長を含む波長帯域の信号光が増幅される。なお、ラマン増幅において発現する誘導ラマン散乱の雑音成分であるＡＳＳ（Amplified  Stimulated  Raman  Scattering）は、比較的に小さい。
【０００４】
ラマン増幅器を用いて所望の波長帯域の信号光を適切に増幅するためには、信号光をラマン増幅するための励起光の中心波長の変動を抑えることが望ましい。これに対して、励起光を発する光源に対して励起光の中心波長を固定する波長固定器（ＦＢＧ：Fiber  Bragg  Grating）を配置したラマン増幅器が知られている。ＦＢＧを配置したラマン増幅器では、励起光を利用してラマン増幅された信号光の利得を所定の波長帯域を対象として等化する利得等化器（ＧＥＱ：Gain  Equalizer）がラマン増幅器の出力側に設置されることが多い。
【０００５】
しかしながら、ＦＢＧによって固定される励起光の中心波長は、ＦＢＧの温度等を含む周囲環境の温度（以下「環境温度」という）が変化した場合に、変動する。これは、ＦＢＧに含まれる光ファイバの屈折率が温度依存性を有するためである。ＦＢＧによって固定される励起光の中心波長が変動すると、励起光を利用してラマン増幅された信号光の利得が変動してしまうので、ＧＥＱによる利得の等化が困難となり、結果として、波長に対する利得偏差の平坦性が維持できなくなる事態が発生する。
【０００６】
このような事態を回避するための技術として、励起光の中心波長を変動させるＦＢＧの温度を調整する技術が提案されている。この技術では、ラマン増幅器の後段に配置されたエルビウム添加ファイバ（ＥＤＦ）とＦＢＧとを同一の筐体に収容し、ＥＤＦの温度変化を利用してＦＢＧの温度を調整する。これにより、環境温度が変化した場合であっても、ＦＢＧによって固定される励起光の中心波長の変動を抑えることができ、波長に対する利得偏差の平坦性を維持することが可能となる。
【先行技術文献】
【特許文献】
【０００７】
【特許文献１】特開２００４−１０３５９９号公報
【発明の概要】
【発明が解決しようとする課題】
【０００８】
しかしながら、上述した従来技術では、環境温度が変化した場合に、波長に対する利得偏差の平坦性を精度良く維持することができない恐れがあるという問題があった。
【０００９】
具体的には、従来技術では、ＥＤＦの温度変化を利用してＦＢＧの温度を調整しているものの、ＦＢＧの温度を調整する際に、ラマン増幅器の出力側に設置されたＧＥＱの温度を考慮していない。ＧＥＱによる利得等化の対象となる波長帯域の中心波長は、環境温度の変化に応じて変動する。このため、環境温度が変化した場合に、ＦＢＧによって固定される励起光の中心波長と、ＧＥＱによる利得等化の対象となる波長帯域の中心波長とがずれてしまう。その結果、従来技術では、波長に対する利得偏差の平坦性を精度良く維持することができない恐れがあった。
【００１０】
開示の技術は、上記に鑑みてなされたものであって、環境温度が変化した場合でも、波長に対する利得偏差の平坦性を精度良く維持することができる光増幅器及び光増幅器制御方法を提供することを目的とする。
【課題を解決するための手段】
【００１１】
本願の開示する光増幅器は、一つの態様において、温度調整部と、温度測定部と、変動量取得部と、制御部とを備える。温度調整部は、信号光をラマン増幅するための励起光の中心波長を固定する波長固定部に設置され、前記励起光の中心波長を変動させる該波長固定部の温度を調整する。温度測定部は、前記波長固定部の温度と、前記励起光を利用してラマン増幅された前記信号光の利得を所定の波長帯域を対象として等化する利得等化部の温度とを測定する。変動量取得部は、前記温度測定部によって測定された前記波長固定部の温度に対応する前記励起光の中心波長の変動量を、前記波長固定部の温度と該温度に対する前記励起光の中心波長の変動量とを対応付けた第一の記憶部から取得する。また、変動量取得部は、測定された前記利得等化部の温度に対応する前記波長帯域の中心波長の変動量を、前記利得等化部の温度と該温度に対する前記波長帯域の中心波長の変動量とを対応付けた第二の記憶部から取得する。制御部は、前記変動量取得部によって取得された二つの変動量の差分に対応する前記波長固定部の温度を前記第一の記憶部から取得し、取得した温度に基づいて、前記温度調整部によって調整される前記波長固定部の温度を制御する。
【発明の効果】
【００１２】
本願の開示する光増幅器の一つの態様によれば、環境温度が変化した場合でも、波長に対する利得偏差の平坦性を精度良く維持することができるという効果を奏する。
【図面の簡単な説明】
【００１３】
【図１】図１は、一般的なラマン増幅器の構成例を示す図である。
【図２】図２は、一般的なラマン増幅器の利得波長特性の一例を示す図である。
【図３】図３は、ＦＢＧの温度が変化した場合のラマン増幅器の波長に対する利得偏差の変動を示す図である。
【図４】図４は、ラマン増幅器が多段で連結された場合の利得偏差の累積値を示す図である。
【図５】図５は、ＧＥＱの温度が変化した場合のラマン増幅器の波長に対する利得偏差の変動を示す図である。
【図６】図６は、実施例１に係るラマン増幅器の構成例を示す図である。
【図７】図７は、第一変動量記憶部によって記憶される情報の一例を示す図である。
【図８】図８は、ＦＢＧ各々の温度と、該温度に対する励起光の中心波長とを測定した結果を示す図である。
【図９】図９は、第二変動量記憶部によって記憶される情報の一例を示す図である。
【図１０】図１０は、温度調整部の構成例を示す図である。
【図１１】図１１は、実施例１に係るラマン増幅器の処理手順を示すフローチャートである。
【図１２】図１２は、実施例１に係るラマン増幅器の適用例を説明するための図である。
【図１３】図１３は、実施例２に係るラマン増幅器の構成例を示す図である。
【図１４】図１４は、第三変動量記憶部によって記憶される情報の一例を示す図である。
【図１５】図１５は、ＬＤ各々の駆動電流の電流値と、該電流値に対する励起光の中心波長と測定した結果を示す図である。
【図１６】図１６は、実施例２に係るラマン増幅器の処理手順を示すフローチャートである。
【図１７】図１７は、実施例２の変形例を示す図である。
【図１８】図１８は、ラマン増幅について説明するための図である。
【発明を実施するための形態】
【００１４】
以下に、本願の開示する光増幅器及び光増幅器制御方法の実施例を図面に基づいて詳細に説明する。なお、この実施例により開示技術が限定されるものではない。
【実施例１】
【００１５】
本実施例に係るラマン増幅器の構成を説明する前に、その前提となる一般的なラマン増幅器の構成を説明する。図１は、一般的なラマン増幅器の構成例を示す図である。なお、図１では、伝送路である光ファイバ自体を増幅媒体として信号光を増幅する分布型のラマン増幅器を例に挙げる。
【００１６】
図１に示すラマン増幅器１００ａは、ＬＤ（Laser  Diode）１０１ａ〜１０１ｄと、光源駆動部１０２と、ＦＢＧ（Fiber  Bragg  Grating）１０３ａ〜１０３ｄと、偏波合波器（ＰＢＣ：Polarization  Beam  Combiner）１０４ａ，１０４ｂとを有する。また、ラマン増幅器１００ａは、励起光合波器１０５と、信号光／励起光合波器１０６と、利得等化器（ＧＥＱ：Gain  Equalizer）１０７とを有する。
【００１７】
ＬＤ１０１ａ〜１０１ｄは、伝送路１０を伝搬するＷＤＭ（Wavelength  Division  Multiplexing）信号光をラマン増幅するための励起光を出力する光源である。光源駆動部１０２は、ＬＤ１０１ａ〜１０１ｄを駆動するための駆動電流をＬＤ１０１ａ〜１０１ｄに供給する。
【００１８】
ＦＢＧ１０３ａ〜１０３ｄは、ＬＤ１０１ａ〜１０１ｄから出力される励起光のうち所定の波長の光を透過することにより、励起光の中心波長を固定する。ＦＢＧ１０３ａ〜１０３ｄは、励起光を発するＬＤ１０１ａ〜１０１ｄごとに配置される。ＦＢＧ１０３ａ，１０３ｂは、中心波長を固定した励起光をＰＢＣ１０４ａに出力し、ＦＢＧ１０３ｃ，１０３ｄは、中心波長を固定した励起光をＰＢＣ１０４ｂに出力する。ＦＢＧ１０３ａ〜１０３ｄは、波長固定部の一例である。
【００１９】
ＰＢＣ１０４ａは、ＦＢＧ１０３ａ，１０３ｂから互いに異なる偏波状態で出力される励起光を合波し、得られた励起光を励起光合波器１０５に出力する。ＰＢＣ１０４ｂは、ＦＢＧ１０３ｃ，１０３ｄから互いに異なる偏波状態で出力される励起光を合波し、合波した励起光を励起光合波器１０５に出力する。
【００２０】
励起光合波器１０５は、ＰＢＣ１０４ａから出力される励起光と、ＰＢＣ１０４ｂから出力される励起光を合波し、得られた励起光を信号光／励起光合波器１０６に出力する。
【００２１】
信号光／励起光合波器１０６は、励起光合波器１０５から出力される励起光を伝送路１０に供給して、伝送路１０を伝搬するＷＤＭ信号光に励起光を合波する。これにより、励起光の中心波長から約１００ｎｍ長波長側に離れた波長を含む波長帯域のＷＤＭ信号光がラマン増幅される。
【００２２】
ＧＥＱ１０７は、信号光／励起光合波器１０６によってラマン増幅された信号光の利得を所定の波長帯域を対象として等化し、等化後の信号光を外部に出力する。ＧＥＱ１０７は、利得等化部の一例である。なお、以下では、ＧＥＱ１０７によって行われる利得の等化の対象となる波長帯域を、「等化波長帯域」と呼ぶ。
【００２３】
次に、図１に示したラマン増幅器１００ａの問題点を説明する。ＦＢＧ１０３ａ〜１０３ｄによって固定される励起光の中心波長は、ＦＢＧ１０３ａ〜１０３ｄの温度等を含む環境温度が変化した場合に、変動する。ＦＢＧ１０３ａ〜１０３ｄによって固定される励起光の中心波長が変動すると、励起光を利用してラマン増幅されたＷＤＭ信号光の利得が変動してしまうので、ＧＥＱ１０７による利得の等化が困難となる。その結果、波長に対する利得偏差の平坦性が維持できなくなる恐れがある。
【００２４】
図２は、一般的なラマン増幅器の利得波長特性の一例を示す図である。図２において、横軸は波長［ｎｍ］であり、縦軸は利得［ｄＢ］である。また、Δλ１は、ＦＢＧ１０３ａ〜１０３ｄによって固定される励起光の中心波長の、環境温度に対する変動量を示す。図２に示すように、Δλ１は、環境温度が変化した場合に、変動する。ＦＢＧ１０３ａ〜１０３ｄによって固定される励起光の中心波長が変動することに伴って、ラマン増幅されるＷＤＭ信号光の利得が波長に対して変動する。このため、ＧＥＱ１０７による利得の等化が困難となる。
【００２５】
図３は、ＦＢＧの温度が変化した場合のラマン増幅器の波長に対する利得偏差の変動を示す図である。図３において、横軸は波長［ｎｍ］であり、縦軸は利得偏差［ｄＢ］である。また、Δλ１は、ＦＢＧ１０３ａ〜１０３ｄによって固定される励起光の中心波長の、環境温度に対する変動量を示す。図３の例では、ＧＥＱ１０７の等化波長帯域の中心波長が、環境温度の変化に関わらず固定値であるものとする。図３に示すように、ＦＢＧ１０３ａ〜１０３ｄによって固定される励起光の中心波長が変動すると、励起光を利用してラマン増幅されたＷＤＭ信号光の利得が変動してしまうので、ＧＥＱ１０７による利得の等化が困難となる。結果として、ラマン増幅器１００ａでは、図３に示すように、波長に対する利得偏差が平坦ではなくなる。このような利得偏差は、ラマン増幅器１００ａが多段で連結された場合に、累積される。
【００２６】
図４は、一般的なラマン増幅器が多段で連結された場合の利得偏差の累積値を示す図である。図４の例では、ラマン増幅器１００ａが７段連結されたものとする。図４に示すように、波長に対する利得偏差は、ラマン増幅器１００ａが多段で連結されるほど、累積的に大きくなることが分かる。
【００２７】
このように、図１に示した従来のラマン増幅器１００ａでは、環境温度が変化した場合に、波長に対する利得偏差の平坦性が維持できなくなる事態が発生する。このような事態を回避するために、励起光の中心波長の温度依存性を利用して、励起光の中心波長を変動させるＦＢＧ１０３ａ〜１０３ｄの温度を調整することが考えられる。しかしながら、ＦＢＧ１０３ａ〜１０３ｄの温度が最適値に調整された場合であっても、今度はＧＥＱ１０７の等化波長帯域の中心波長が、環境温度の変化に応じて変動してしまう。このため、ＦＢＧ１０３ａ〜１０３ｄによって固定された励起光の中心波長と、ＧＥＱ１０７による等化波長帯域の中心波長とがずれてしまう。結果として、従来のラマン増幅器１００ａでは、環境温度が変化した場合に、波長に対する利得偏差の平坦性を維持することができなくなる恐れがある。
【００２８】
図５は、ＧＥＱの温度が変化した場合のラマン増幅器の波長に対する利得偏差の変動を示す図である。図５において、横軸は波長［ｎｍ］であり、縦軸は利得偏差［ｄＢ］である。また、Δλ２は、ＧＥＱ１０７の等化波長帯域の中心波長の、環境温度に対する変動量を示す。図５の例では、ＦＢＧ１０３ａ〜１０３ｄによって固定された励起光の中心波長が、環境温度の変化に関わらず固定値であるものとする。図５に示すように、ＧＥＱ１０７の等化波長帯域の中心波長が変動すると、ＦＢＧ１０３ａ〜１０３ｄによって固定された励起光の中心波長と、ＧＥＱ１０７による等化波長帯域の中心波長とがずれてしまうので、ＧＥＱ１０７による利得の等化が困難となる。結果として、ラマン増幅器１００ａでは、図５に示すように、波長に対する利得偏差が平坦ではなくなる。つまり、従来のラマン増幅器１００ａでは、環境温度が変化した場合に、波長に対する利得偏差の平坦性を維持することができなくなる恐れがある。
【００２９】
そこで、本実施例のラマン増幅器では、ＦＢＧの温度調整制御に関する処理を工夫することにより、上記図２〜５に示した問題を回避する。
【００３０】
次に、本実施例に係るラマン増幅器の構成について説明する。図６は、実施例１に係るラマン増幅器の構成例を示す図である。なお、図６では、図１に示したラマン増幅器１００ａと同様に、分布型のラマン増幅器を例に挙げる。図６に示すように、実施例１に係るラマン増幅器１００は、ＬＤ１０１ａ〜１０１ｄと、光源駆動部１０２と、ＦＢＧ１０３ａ〜１０３ｄと、偏波合波器１０４ａ，１０４ｂとを有する。また、ラマン増幅器１００は、励起光合波器１０５と、信号光／励起光合波器１０６と、ＧＥＱ１０７とを有する。また、ラマン増幅器１００は、第一変動量記憶部１０８と、第二変動量記憶部１０９と、温度調整部１１０ａ〜１１０ｄと、温度測定部１１１と、変動量取得部１１２と、制御部１１３とを有する。
【００３１】
このうち、ＬＤ１０１ａ〜１０１ｄ、光源駆動部１０２、ＦＢＧ１０３ａ〜１０３ｄ及び偏波合波器１０４ａ，１０４ｂは、図１に示したＦＢＧ１０３ａ〜１０３ｄ及び偏波合波器１０４ａ，１０４ｂにそれぞれ対応する。また、励起光合波器１０５、信号光／励起光合波器１０６及びＧＥＱ１０７は、図１に示した励起光合波器１０５、信号光／励起光合波器１０６及びＧＥＱ１０７にそれぞれ対応する。
【００３２】
第一変動量記憶部１０８は、例えば、ＦＢＧ１０３ａ〜１０３ｄ各々の温度と、該温度に対する励起光の中心波長の変動量とを対応付けて記憶するメモリである。第一変動量記憶部１０８は、第一の記憶部の一例である。図７は、第一変動量記憶部１０８によって記憶される情報の一例を示す図である。例えば、図７に示すように、第一変動量記憶部１０８は、ＦＢＧ温度［℃］と、中心波長変動量［ｎｍ］とを対応付けて記憶する。このうち、ＦＢＧ温度は、ＬＤ１０１ａ〜ＬＤ１０１ｄの後段にそれぞれ配置されたＦＢＧ１０３ａ〜１０３ｄ各々の温度である。中心波長変動量は、ＦＢＧ１０３ａ〜１０３ｄ各々によって固定される励起光の中心波長の変動量である。
【００３３】
例を挙げて説明すると、第一変動量記憶部１０８の４列目は、ＬＤ１０１ａの後段に配置されたＦＢＧ１０３ａの温度が「２５℃」である場合に、ＦＢＧ１０３ａによって固定される励起光の中心波長の変動量が「０．００ｎｍ」であることを示す。同様に、第一変動量記憶部１０８の４列目は、ＬＤ１０１ｂの後段に配置されたＦＢＧ１０３ｂの温度が「２５℃」である場合に、ＦＢＧ１０３ｂによって固定される励起光の中心波長の変動量が「０．００ｎｍ」であることを示す。第一変動量記憶部１０８の４列目は、ＬＤ１０１ｃの後段に配置されたＦＢＧ１０３ｃの温度が「２５℃」である場合に、ＦＢＧ１０３ｃによって固定される励起光の中心波長の変動量が「０．００ｎｍ」であることを示す。第一変動量記憶部１０８の４列目は、ＬＤ１０１ｄの後段に配置されたＦＢＧ１０３ｄの温度が「２５℃」である場合に、ＦＢＧ１０３ｄによって固定される励起光の中心波長の変動量が「０．００ｎｍ」であることを示す。
【００３４】
また、第一変動量記憶部１０８の３列目は、ＬＤ１０１ａの後段に配置されたＦＢＧ１０３ａの温度が「０℃」である場合に、ＦＢＧ１０３ａによって固定される励起光の中心波長の変動量が「−０．２３ｎｍ」であることを示す。同様に、第一変動量記憶部１０８の３列目は、ＬＤ１０１ｂの後段に配置されたＦＢＧ１０３ｂの温度が「０℃」である場合に、ＦＢＧ１０３ｂによって固定される励起光の中心波長の変動量が「−０．２３ｎｍ」であることを示す。第一変動量記憶部１０８の３列目は、ＬＤ１０１ｃの後段に配置されたＦＢＧ１０３ｃの温度が「０℃」である場合に、ＦＢＧ１０３ｃによって固定される励起光の中心波長の変動量が「−０．２６ｎｍ」であることを示す。第一変動量記憶部１０８の３列目は、ＬＤ１０１ｄの後段に配置されたＦＢＧ１０３ｄの温度が「０℃」である場合に、ＦＢＧ１０３ｄによって固定される励起光の中心波長の変動量が「−０．２４ｎｍ」であることを示す。
【００３５】
また、第一変動量記憶部１０８の５列目は、ＬＤ１０１ａの後段に配置されたＦＢＧ１０３ａの温度が「４０℃」である場合に、ＦＢＧ１０３ａによって固定される励起光の中心波長の変動量が「０．１４ｎｍ」であることを示す。同様に、第一変動量記憶部１０８の５列目は、ＬＤ１０１ｂの後段に配置されたＦＢＧ１０３ｂの温度が「４０℃」である場合に、ＦＢＧ１０３ｂによって固定される励起光の中心波長の変動量が「０．１７ｎｍ」であることを示す。第一変動量記憶部１０８の５列目は、ＬＤ１０１ｃの後段に配置されたＦＢＧ１０３ｃの温度が「４０℃」である場合に、ＦＢＧ１０３ｃによって固定される励起光の中心波長の変動量が「０．１２ｎｍ」であることを示す。第一変動量記憶部１０８の５列目は、ＬＤ１０１ｄの後段に配置されたＦＢＧ１０３ｄの温度が「４０℃」である場合に、ＦＢＧ１０３ｄによって固定される励起光の中心波長の変動量が「０．１４ｎｍ」であることを示す。
【００３６】
ここで、第一変動量記憶部１０８に記憶される各情報の設定手法について説明する。図８は、ＦＢＧ１０３ａ〜１０３ｄ各々の温度と、該温度に対する励起光の中心波長とを測定した結果を示す図である。まず、図８に示すように、ラマン増幅器１００の設計者は、ラマン増幅器１００の製造時等に、ＦＢＧ温度［℃］と、励起光の中心波長［ｎｍ］とを測定した結果を測定データとして作成する。ＦＢＧ温度は、ＬＤ１０１ａ〜ＬＤ１０１ｄの後段にそれぞれ配置されたＦＢＧ１０３ａ〜１０３ｄ各々の温度である。励起光の中心波長は、ＦＢＧ１０３ａ〜１０３ｄ各々によって固定される励起光の中心波長である。次いで、設計者は、例えばラマン増幅器１００の利得波長特性が平坦となるＦＢＧの最適温度「２５℃」に対する励起光の中心波長を基準値として、他のＦＢＧ温度に対する励起光の中心波長と基準値との差分値を算出する。次いで、設計者は、算出した差分値を第一変動量記憶部１０８の中心波長変動量に設定する。
【００３７】
図６の説明に戻り、第二変動量記憶部１０９は、例えば、ＧＥＱ１０７の温度と、該温度に対する等化波長帯域の中心波長の変動量とを対応付けて記憶するメモリである。第二変動量記憶部１０９は、第二の記憶部の一例である。図９は、第二変動量記憶部１０９によって記憶される情報の一例を示す図である。例えば、図９に示すように、第二変動量記憶部１０９は、ＧＥＱ温度［℃］と、中心波長変動量［ｎｍ］とを対応付けて記憶する。このうち、ＧＥＱ温度は、ＧＥＱ１０７の温度である。中心波長変動量は、ＧＥＱ１０７における等化波長帯域の中心波長の変動量である。
【００３８】
例を挙げて説明すると、第二変動量記憶部１０９の４列目は、ＧＥＱ１０７の温度が「２５℃」である場合に、等化波長帯域の中心波長の変動量が「０．００ｎｍ」であることを示す。また、第二変動量記憶部１０９の３列目は、ＧＥＱ１０７の温度が「０℃」である場合に、等化波長帯域の中心波長の変動量が「−０．１１ｎｍ」であることを示す。また、第二変動量記憶部１０９の５列目は、ＧＥＱ１０７の温度が「４０℃」である場合に、等化波長帯域の中心波長の変動量が「０．０６ｎｍ」であることを示す。
【００３９】
ここで、第二変動量記憶部１０９に記憶される各情報の設定手法について説明する。まず、ラマン増幅器１００の設計者は、ラマン増幅器１００の製造時等に、ＧＥＱ１０７の温度と、等化波長帯域の中心波長とを測定した結果を測定データとして作成する。次いで、設計者は、例えばラマン増幅器１００の利得波長特性が平坦となるＧＥＱ１０７の最適温度「２５℃」に対する等化波長帯域の中心波長を基準値として、他のＧＥＱ１０７の温度に対する等化波長帯域の中心波長と基準値との差分値を算出する。次いで、設計者は、算出した差分値を第二変動量記憶部１０９の中心波長変動量に設定する。
【００４０】
温度調整部１１０ａ〜１１０ｄは、ＦＢＧ１０３ａ〜１０３ｄ各々に設置され、励起光の中心波長を変動させるＦＢＧ１０３ａ〜１０３ｄ各々の温度をそれぞれ調整する。温度調整部１１０ａ〜１１０ｄによって調整されるＦＢＧ１０３ａ〜１０３ｄ各々の温度は、例えば、制御部１１３によって制御される。すなわち、温度調整部１１０ａ〜１１０ｄは、制御部１１３による制御に基づいて、ＦＢＧ１０３ａ〜１０３ｄ各々の温度をそれぞれ調整する。
【００４１】
図１０は、温度調整部１１０ａの構成例を示す図である。温度調整部１１０ｂ〜１１０ｄの構成についても温度調整部１１０ａと同様である。図１０に示すように、温度調整部１１０ａは、基板上に実装された熱電クーラや熱電ヒータ等の温度制御デバイス１２１と、温度制御デバイス１２１に装着された金属等の温度拡散板１２２とを含み、温度拡散板１２２によりＦＢＧ１０３ａを支持する。温度制御デバイス１２１は、制御部１１３に接続されており、制御部１１３による制御に基づいて、温度拡散板１２２を介してＦＢＧ１０３ａを加熱又は冷却することによって、ＦＢＧ１０３ａの温度を調整する。温度拡散板１２２は、温度制御デバイス１２１とＦＢＧ１０３ａとの間を伝搬する熱を均一に拡散する。
【００４２】
温度測定部１１１は、ＦＢＧ１０３ａ〜１０３ｄ各々の温度と、ＧＥＱ１０７の温度とを測定し、測定した温度を変動量取得部１１２に出力する。ここで、温度測定部１１１は、サーミスタ等の温度センサを用いることができる。
【００４３】
変動量取得部１１２は、温度測定部１１１によって測定されたＦＢＧ１０３ａ〜１０３ｄ各々の温度に対応する励起光の中心波長の変動量を、第一変動量記憶部１０８から取得し、取得した励起光の中心波長の変動量を制御部１１３に出力する。また、変動量取得部１１２は、温度測定部１１１によって測定されたＧＥＱ１０７の温度に対応する等化波長帯域の中心波長の変動量を、第二変動量記憶部１０９から取得し、取得した等化波長帯域の中心波長の変動量を制御部１１３に出力する。
【００４４】
例えば、変動量取得部１１２は、温度測定部１１１によって測定されたＦＢＧ１０３ａの温度が「６０℃」である場合に、ＬＤ１０１ａからの励起光の中心波長の変動量「０．３５ｎｍ」を第一変動量記憶部１０８から取得して制御部１１３に出力する。また、例えば、変動量取得部１１２は、温度測定部１１１によって測定されたＧＥＱ１０７の温度が「４０℃」である場合に、等化波長帯域の中心波長の変動量「０．０６ｎｍ」を第二変動量記憶部１０９から取得して制御部１１３に出力する。なお、変動量取得部１１２は、ＣＰＵ（Central  Processing  Unit）及び該ＣＰＵにて解析実行されるプログラムにて実現される。或いは、ＦＰＧＡ（Field  Programmable  Gate  Array）を用いて実現しても良い。
【００４５】
制御部１１３は、変動量取得部１１２によって取得された二つの変動量の差分に対応するＦＢＧ１０３ａ〜１０３ｄ各々の温度を第一変動量記憶部１０８から取得する。制御部１１３は、第一変動量記憶部１０８から取得した温度に基づいて、温度調整部１１０ａ〜１１０ｄによって調整されるＦＧＢ１０３ａ〜１０３ｄ各々の温度をそれぞれ制御する。
【００４６】
例えば、制御部１１３は、ＬＤ１０１ａからの励起光の中心波長の変動量「０．３５ｎｍ」と、ＧＥＱ１０７の等化波長帯域の変動量「０．０６ｎｍ」とを変動量取得部１１２から受け付ける。制御部１１３は、ＬＤ１０１ａからの励起光の中心波長の変動量とＧＥＱ１０７の等化波長帯域の変動量との差分「０．２９ｎｍ」を算出する。制御部１１３は、二つの変動量の差分「０．２９ｎｍ」に対応するＦＢＧ温度を第一変動量記憶部１０８から取得する。制御部１１３は、第一変動量記憶部１０８から取得した温度が最適温度「２５℃」となるように、温度調整部１１０ａによって調整されるＦＧＢ１０３ａの温度を制御する。
【００４７】
なお、変動量取得部１１２によって取得された二つの変動量の差分に対応するＦＢＧ１０３ａ〜１０３ｄ各々の温度が第一変動量記憶部１０８に存在しない場合には、制御部１１３は、以下の処理を行うことも可能である。すなわち、制御部１１３は、第一変動量記憶部１０８に記憶された各情報を基にして、ＦＢＧ１０３ａ〜１０３ｄ各々の温度と、該温度に対する励起光の中心波長の変動量との対応関係を示す補間関数を生成する。制御部１１３は、生成した補間関数に対して、変動量取得部１１２によって取得された二つの変動量の差分を適用することによって、ＦＢＧ１０３ａ〜１０３ｄ各々の温度を取得する。制御部１１３は、取得した温度に基づいて、温度調整部１１０ａ〜１１０ｄによって調整されるＦＧＢ１０３ａ〜１０３ｄ各々の温度をそれぞれ制御する。
【００４８】
次に、図１１を用いて、実施例１に係るラマン増幅器１００の処理手順について説明する。図１１は、実施例１に係るラマン増幅器１００の処理手順を示すフローチャートである。例えば、図１１に示す処理は、所定の周期で実行される。
【００４９】
図１１に示すように、ラマン増幅器１００は、ＦＧＢ１０３ａ〜１０３ｄ各々の温度を測定し（ステップＳ１０１）、ＧＥＱ１０７の温度を測定する（ステップＳ１０２）。
【００５０】
続いて、ラマン増幅器１００は、測定されたＦＧＢ１０３ａ〜１０３ｄ各々の温度に対応する励起光の中心波長の変動量を、第一変動量記憶部１０８から取得する（ステップＳ１０３）。ラマン増幅器１００は、測定されたＧＥＱ１０７の温度に対応する等化波長帯域の中心波長の変動量を、第二変動量記憶部１０９から取得する（ステップＳ１０４）。
【００５１】
続いて、ラマン増幅器１００は、取得された二つの変動量の差分を算出し（ステップＳ１０５）、算出した差分に対応するＦＧＢ１０３ａ〜１０３ｄ各々の温度を、第一変動量記憶部１０８から取得する（ステップＳ１０６）。そして、ラマン増幅器１００は、第一変動量記憶部１０８から取得した温度に基づいて、温度調整部１１０ａ〜１１０ｄによって調整されるＦＧＢ１０３ａ〜１０３ｄ各々の温度をそれぞれ制御する（ステップＳ１０７）。
【００５２】
上述したように、ラマン増幅器１００は、ＦＢＧの温度及びＧＥＱの温度を測定し、測定したＦＢＧの温度に対応する励起光の中心波長の変動量と、ＧＥＱの温度に対応する等化波長帯域の中心波長の変動量とを記憶部から取得する。そして、ラマン増幅器１００は、取得した二つの変動量の差分に対応するＦＢＧの温度を記憶部から取得し、取得した温度を用いてＦＢＧの温度を制御する。このため、ラマン増幅器１００は、環境温度が変化した場合でも、ＦＢＧによって固定される励起光の中心波長と、ＧＥＱによる利得等化の対象となる波長帯域の中心波長とのずれを回避することができる。この結果、ラマン増幅器１００は、環境温度が変化した場合でも、波長に対する利得偏差の平坦性を精度良く維持することができる。
【００５３】
（適用例）
ここで、ラマン増幅器１００の適用例を説明する。図１２は、実施例１に係るラマン増幅器１００の適用例を説明するための図である。図１２に示す例では、ラマン増幅器１００のＦＢＧ１０３ａ〜１０３ｄは、それぞれ異なる実装位置に設置され、各実装位置に関する温度勾配が発生している。例えば、ＦＢＧ１０３ａの温度と、ＦＢＧ１０３ｂの温度とはほぼ同じ温度であるが、ＦＢＧ１０３ｃの温度は、ＦＢＧ１０３ｄの温度と比較して高い。このような状況の下で、ラマン増幅器１００は、ＦＢＧ１０３ａ〜１０３ｂ各々の温度を個別に制御する。このため、ラマン増幅器１００は、ＦＢＧ１０３ａ〜１０３ｂ間に温度勾配が発生した場合でも、波長に対する利得偏差の平坦性を精度良く維持することができる。
【実施例２】
【００５４】
実施例１では、ＦＢＧの温度と該温度に対する励起光の中心波長の変動量と、ＧＥＱの温度と該温度に対する等化波長帯域の中心波長の変動量との差分を用いてＦＢＧの温度を制御する場合を説明した。しかしながら、さらに、励起光の光源を駆動させる駆動電流の電流値と該電流値に対する励起光の中心波長の変動量を用いてＦＢＧの温度を制御することとしても良い。そこで、実施例２では、励起光の光源を駆動させる駆動電流の電流値と該電流値に対する励起光の中心波長の変動量を用いてＦＢＧの温度を制御する場合を説明する。
【００５５】
図１３を用いて、実施例２に係るラマン増幅器の構成を説明する。図１３は、実施例２に係るラマン増幅器の構成例を示す図である。なお、図１３では、実施例１と同様に、分布型のラマン増幅器を例に挙げる。また、図１３では、図６と同様の機能を有するブロックに同一の符号を付し、同様の処理についてはその説明を省略する。
【００５６】
図１３に示すように、実施例２に係るラマン増幅器２００の後段には、カプラ１１、光チャネルモニタ（ＯＣＭ：Optical  Channel  Monitor）１２及び駆動電流制御回路１３が配置される。カプラ１１は、ラマン増幅器２００から出力されるＷＤＭ信号光を分波し、分波した一方のＷＤＭ信号光をＯＣＭ１２に出力する。ＯＣＭ１２は、ＷＤＭ信号光のパワーを波長ごとに検出し、検出結果を駆動電流制御回路１３に出力する。駆動電流制御回路１３は、ＯＣＭ１２からの検出結果を基に、波長ごとのＷＤＭ信号光のパワーが均一となるように、ＬＤ１０１ａ〜１０１ｄを駆動するための駆動電流の電流値を決定し、決定した電流値をラマン増幅器２００の光源駆動部１０２に出力する。
【００５７】
ラマン増幅器２００は、ＬＤ１０１ａ〜１０１ｄと、光源駆動部１０２と、ＦＢＧ１０３ａ〜１０３ｄと、偏波合波器１０４ａ，１０４ｂとを有する。また、ラマン増幅器２００は、励起光合波器１０５と、信号光／励起光合波器１０６と、ＧＥＱ１０７とを有する。また、ラマン増幅器２００は、第一変動量記憶部１０８と、第二変動量記憶部１０９と、温度調整部１１０ａ〜１１０ｄと、温度測定部１１１と、変動量取得部２１２と、制御部２１３とを有する。また、ラマン増幅器１００は、第三変動量記憶部２１４と、電流値検出部２１５とを有する。
【００５８】
第三変動量記憶部２１４は、例えば、ＬＤ１０１ａ〜１０１ｄ各々の駆動電流の電流値と、該電流値に対する励起光の中心波長の変動量とを対応付けて記憶するメモリである。第三変動量記憶部２１４は、第三の記憶部の一例である。図１４は、第三変動量記憶部２１４によって記憶される情報の一例を示す図である。例えば、図１４に示すように、第三変動量記憶部２１４は、ＬＤ電流値［ｍＡ］と、中心波長変動量［ｎｍ］とを対応付けて記憶する。このうち、ＬＤ電流値は、ＬＤ１０１ａ〜１０１ｄ各々の駆動電流の電流値である。中心波長変動量は、ＬＤ１０１ａ〜１０１ｄ各々から出力される励起光の中心波長の変動量である。
【００５９】
例を挙げて説明すると、第一変動量記憶部１０８の２列目は、ＬＤ１０１ａの駆動電流の電流値が「５００ｍＡ」である場合に、ＬＤ１０１ａから出力される励起光の中心波長の変動量が「０．００ｎｍ」であることを示す。同様に、第一変動量記憶部１０８の２列目は、ＬＤ１０１ｂの駆動電流の電流値が「５００ｍＡ」である場合に、ＬＤ１０１ｂから出力される励起光の中心波長の変動量が「０．００ｎｍ」であることを示す。同様に、第一変動量記憶部１０８の２列目は、ＬＤ１０１ｃの駆動電流の電流値が「５００ｍＡ」である場合に、ＬＤ１０１ｃから出力される励起光の中心波長の変動量が「０．００ｎｍ」であることを示す。同様に、第一変動量記憶部１０８の２列目は、ＬＤ１０１ｄの駆動電流の電流値が「５００ｍＡ」である場合に、ＬＤ１０１ｄから出力される励起光の中心波長の変動量が「０．００ｎｍ」であることを示す。
【００６０】
また、第一変動量記憶部１０８の３列目は、ＬＤ１０１ａの駆動電流の電流値が「１０００ｍＡ」である場合に、ＬＤ１０１ａから出力される励起光の中心波長の変動量が「０．２０ｎｍ」であることを示す。同様に、第一変動量記憶部１０８の３列目は、ＬＤ１０１ｂの駆動電流の電流値が「１０００ｍＡ」である場合に、ＬＤ１０１ｂから出力される励起光の中心波長の変動量が「０．１７ｎｍ」であることを示す。同様に、第一変動量記憶部１０８の３列目は、ＬＤ１０１ｃの駆動電流の電流値が「１０００ｍＡ」である場合に、ＬＤ１０１ｃから出力される励起光の中心波長の変動量が「０．１３ｎｍ」であることを示す。同様に、第一変動量記憶部１０８の３列目は、ＬＤ１０１ｄの駆動電流の電流値が「１０００ｍＡ」である場合に、ＬＤ１０１ｄから出力される励起光の中心波長の変動量が「０．２１ｎｍ」であることを示す。
【００６１】
ここで、第三変動量記憶部２１４に記憶される各情報の設定手法について説明する。図１５は、ＬＤ１０１ａ〜１０１ｄ各々の駆動電流の電流値と、該電流値に対する励起光の中心波長と測定した結果を示す図である。まず、図１５に示すように、ラマン増幅器２００の設計者は、ラマン増幅器２００の製造時等に、ＬＤ電流値［ｍＡ］と、励起光の中心波長［ｎｍ］とを測定した結果を測定データとして作成する。ＬＤ電流値は、ＬＤ１０１ａ〜１０１ｄ各々の駆動電流の電流値である。中心波長変動量は、ＬＤ１０１ａ〜１０１ｄ各々から出力される励起光の中心波長である。次いで、設計者は、例えばラマン増幅器２００の利得波長特性が平坦となるＬＤの最適電流値「５００ｍＡ」に対する励起光の中心波長を基準値として、他のＬＤ電流値に対する励起光の中心波長と基準値との差分値を算出する。次いで、設計者は、算出した差分値を第三変動量記憶部２１４の中心波長変動量に設定する。
【００６２】
図１３の説明に戻り、電流値検出部２１５は、駆動電流制御回路１３を監視し、ＬＤ１０１ａ〜１０１ｄ各々の駆動電流の電流値を検出し、検出した電流値を変動量取得部２１２に出力する。なお、電流値検出部２１５は、ＣＰＵ及び該ＣＰＵにて解析実行されるプログラムにて実現される。或いは、ＦＰＧＡを用いて実現しても良い。
【００６３】
変動量取得部２１２は、図６に示した変動量取得部１１２に対応する。変動量取得部２１２は、さらに、電流値検出部２１５によって検出されたＬＤ１０１ａ〜１０１ｄ各々の駆動電流の電流値に対応する励起光の中心波長の変動量を、第三変動量記憶部２１４から取得し、取得した励起光の中心波長の変動量を制御部２１３に出力する。
【００６４】
例えば、変動量取得部２１２は、電流値検出部２１５にて検出されたＬＤ１０１ａの駆動電流の電流値が「１０００ｍＡ」である場合、ＬＤ１０１ａからの励起光の中心波長の変動量「０．２０ｎｍ」を第三変動量記憶部２１４から取得して制御部２１３に出力する。
【００６５】
制御部２１３は、図６に示した制御部１１３に対応する。制御部２１３は、さらに、変動量取得部２１２によって取得された変動量に対応するＦＢＧ１０３ａ〜１０３ｄ各々の温度を第一変動量記憶部１０８から取得する。制御部２１３は、第一変動量記憶部１０８から取得した温度に基づいて、温度調整部１１０ａ〜１１０ｄによって調整されるＦＧＢ１０３ａ〜１０３ｄ各々の温度をそれぞれ制御する。
【００６６】
例えば、制御部２１３は、ＬＤ１０１ａからの励起光の中心波長の変動量「０．２０ｎｍ」を変動量取得部２１２から受け付ける。制御部２１３は、ＬＤ１０１ａからの励起光の中心波長の変動量「０．２０ｎｍ」に対応するＦＢＧ温度を第一変動量記憶部１０８から取得する。制御部２１３は、第一変動量記憶部１０８から取得した温度が最適温度「２５℃」となるように、温度調整部１１０ａによって調整されるＦＢＧ１０３ａの温度を制御する。
【００６７】
なお、変動量取得部２１２によって取得された変動量に対応するＦＢＧ１０３ａ〜１０３ｄ各々の温度が第一変動量記憶部１０８に存在しない場合には、制御部２１３は、以下の処理を行うことも可能である。すなわち、制御部２１３は、第一変動量記憶部１０８に記憶された各情報を基にして、ＦＢＧ１０３ａ〜１０３ｄ各々の温度と、該温度に対する励起光の中心波長の変動量との対応関係を示す補間関数を生成する。制御部２１３は、生成した補間関数に対して、変動量取得部２１２によって取得された変動量を適用することによって、ＦＢＧ１０３ａ〜１０３ｄ各々の温度を取得する。制御部２１３は、取得した温度に基づいて、温度調整部１１０ａ〜１１０ｄによって調整されるＦＧＢ１０３ａ〜１０３ｄ各々の温度をそれぞれ制御する。
【００６８】
次に、図１６を用いて、実施例２に係るラマン増幅器２００の処理手順について説明する。図１６は、実施例２に係るラマン増幅器２００の処理手順を示すフローチャートである。例えば、図１６に示す処理は、所定の周期で実行される。また、図１６に示す処理は、図１１に示した処理と同時に実行されても良く、また、図１１に示した処理とは独立して実行されても良い。
【００６９】
図１６に示すように、ラマン増幅器２００は、ＬＤ１０１ａ〜１０１ｄ各々の駆動電流の電流値を検出する（ステップＳ２０１）。続いて、ラマン増幅器２００は、検出されたＬＤ１０１ａ〜１０１ｄ各々の駆動電流の電流値に対応する励起光の中心波長の変動量を第三変動量記憶部２１４から取得する（ステップＳ２０２）。
【００７０】
続いて、ラマン増幅器２００は、取得された励起光の中心波長の変動量に対応するＦＧＢ１０３ａ〜１０３ｄ各々の温度を、第一変動量記憶部１０８から取得する（ステップＳ２０３）。そして、ラマン増幅器２００は、第一変動量記憶部１０８から取得した温度に基づいて、温度調整部１１０ａ〜１１０ｄによって調整されるＦＧＢ１０３ａ〜１０３ｄ各々の温度をそれぞれ制御する（ステップＳ２０４）。
【００７１】
上述したように、ラマン増幅器２００は、ＬＤ各々の駆動電流の電流値を検出し、検出した電流値に対応する励起光の中心波長の変動量を記憶部から取得する。そして、ラマン増幅器２００は、取得した変動量に対応するＦＢＧの温度を記憶部から取得し、取得した温度を用いてＦＢＧの温度を制御する。このため、ラマン増幅器２００は、励起光を発するＬＤの駆動電流が変化した場合でも、ＦＢＧによって固定される励起光の中心波長の変動を抑制することができる。この結果、ラマン増幅器２００は、励起光を発するＬＤの駆動電流が変化した場合でも、波長に対する利得偏差の平坦性を精度良く維持することができる。
【００７２】
なお、上記実施例２において、ラマン増幅器２００の後段に他の光学部品を配置した場合でも、上記実施例２と同様の効果を得ることができる。例えば、図１７に示すように、ラマン増幅器２００の後段にエルビウム添加ファイバ光増幅器（ＥＤＦＡ：Erbium  Doped  Fiber  Amplifier）１４を配置しても良い。この構成によれば、ＥＤＦＡ１４で発生する利得傾斜等も補償することができる。なお、図１７は、実施例２の変形例を示す図である。
【００７３】
また、上記実施例１、２では、伝送路である光ファイバ自体を増幅媒体として信号光を増幅する分布型のラマン増幅器に対して、本願の開示する光増幅器を適用した場合を説明した。しかしながら、非線形屈折率の高い高非線形ファイバや分散補償ファイバなどを増幅媒体として信号光を増幅する集中型のラマン増幅器に対して、本願の開示する光増幅器を適用しても良い。
【符号の説明】
【００７４】
１００、２００  ラマン増幅器
１０１ａ〜１０１ｄ  ＬＤ
１０２  光源駆動部
１０３ａ〜１０３ｄ  波長固定器（ＦＢＧ）
１０４ａ，１０４ｂ  偏波合波器
１０５  励起光合波器
１０６  信号光／励起光合波器
１０７  利得等化器（ＧＥＱ）
１０８  第一変動量記憶部
１０９  第二変動量記憶部
１１０ａ〜１１０ｄ  温度調整部
１１１  温度測定部
１１２、２１２  変動量取得部
１１３、２１３  制御部
２１４  第三変動量記憶部
２１５  電流値検出部
【図１】
0005884654.tif 000002
【図２】
0005884654.tif 000003
【図３】
0005884654.tif 000004
【図４】
0005884654.tif 000005
【図５】
0005884654.tif 000006
【図６】
0005884654.tif 000007
【図７】
0005884654.tif 000008
【図８】
0005884654.tif 000009
【図９】
0005884654.tif 000010
【図１０】
0005884654.tif 000011
【図１１】
0005884654.tif 000012
【図１２】
0005884654.tif 000013
【図１３】
0005884654.tif 000014
【図１４】
0005884654.tif 000015
【図１５】
0005884654.tif 000016
【図１６】
0005884654.tif 000017
【図１７】
0005884654.tif 000018
【図１８】
0005884654.tif 000019